(57)【要約】【課題】光学式ファインダー内において、ロール方向およびチルト方向の傾きを容易に認識可能とするとともに、ＡＦ測距表示に影響されることなく、撮影の直前まで姿勢情報を表示することが可能な撮影装置および表示方法を提供すること。【解決手段】撮影装置であって、被写体像を観察するための光学式ファインダーと、被写体との合焦位置を算出する測距手段と、撮影装置の傾きを検出する傾き検出手段と、光学式ファインダーの視野内に、被写体像と重ねて、測距手段によって算出される合焦位置および傾き検出手段によって検出される撮影装置の傾きを同時に表示する、ファインダー内表示手段と、を有する構成とした。【選択図】図５
2015121754.tif 000002
【特許請求の範囲】
【請求項１】
被写体像を観察するための光学式ファインダーと、
被写体との合焦位置を算出する測距手段と、
撮影装置の傾きを検出する傾き検出手段と、
前記光学式ファインダーの視野内に、前記被写体像と重ねて、前記測距手段によって算出される前記合焦位置および前記傾き検出手段によって検出される前記撮影装置の傾きを同時に表示する、ファインダー内表示手段と、
を有することを特徴とする撮影装置。
【請求項２】
前記撮影装置の傾きは、ロール方向の傾きおよびチルト方向の傾きを含み、
前記ファインダー内表示手段は、前記光学式ファインダーの視野内に、前記ロール方向の傾きと前記チルト方向の傾きとをそれぞれ判別可能に表示することを特徴とする請求項１に記載の撮影装置。
【請求項３】
前記ファインダー内表示手段は、前記ロール方向の傾きおよび前記チルト方向の傾きの両方を表わす１つの表示を前記光学式ファインダーの視野内に表示することを特徴とする請求項２に記載の撮影装置。
【請求項４】
前記ファインダー内表示手段は、前記光学式ファインダーの視野内に複数のドットを表示するものであり、
前記光学式ファインダーの視野内に表示される前記複数のドットの位置は、前記撮影装置の傾きに応じて異なることを特徴とする請求項１から３のいずれか一項に記載の撮影装置。
【請求項５】
前記ファインダー内表示手段は、
前記撮影装置の傾きが略０の場合は、前記光学式ファインダーの視野の略中央に前記複数のドットを表示し、
前記撮影装置の傾きが大きくなるにしたがって、前記光学式ファインダーの視野の周辺方向へ前記複数のドットの表示を移動することを特徴とする請求項４に記載の撮影装置。
【請求項６】
前記ファインダー内表示手段は、前記撮影装置の傾きが略０の場合と、前記撮影装置の傾きが略０でない場合とで、異なる表示を行うことを特徴とする請求項１から５のいずれか一項に記載の撮影装置。
【請求項７】
前記ファインダー内表示手段は、
前記撮影装置の傾きが略０の場合は、矩形または円形に配置された複数のドットを表示し、
前記撮影装置の傾きが略０でない場合は、十字に配置された複数のドットを表示することを特徴とする請求項６に記載の撮影装置。
【請求項８】
前記ファインダー内表示手段は、前記撮影装置の傾きが所定の大きさを超えた場合と、前記撮影装置の傾きが所定の大きさ以下の場合とで、異なる表示を行うことを特徴とする請求項１から７のいずれか一項に記載の撮影装置。
【請求項９】
前記異なる表示は、表示の点滅および非点滅、または異なる点滅速度を含む、請求項８に記載の撮影装置。
【請求項１０】
前記ファインダー内表示手段は、前記合焦位置と前記撮影装置の傾きとを判別可能に表示することを特徴とする請求項１から９のいずれか一項に記載の撮影装置。
【請求項１１】
前記ファインダー内表示手段は、前記合焦位置と前記撮影装置の傾きとを異なる色で表示することを特徴とする請求項１０に記載の撮影装置。
【請求項１２】
前記ファインダー内表示手段は、二次元に配置された複数の発光素子を有し、
前記複数の発光素子の一部を点灯することにより、前記光学式ファインダーの視野内に、前記合焦位置および前記撮影装置の傾きを表示することを特徴とする請求項２から１１のいずれか一項に記載の撮影装置。
【請求項１３】
前記合焦位置を表示するための発光素子と、前記撮影装置の傾きを表示するための発光素子は、同一基板上に配置されることを特徴とする請求項１２に記載の撮影装置。
【請求項１４】
前記二次元に配置された複数の発光素子による前記撮影装置の傾きの表示において、
横軸が前記ロール方向の傾きを表わし、
縦軸が前記チルト方向の傾きを表わすことを特徴とする請求項１２または１３に記載の撮影装置。
【請求項１５】
前記光学式ファインダーは、撮影レンズと撮像面との間に設けられたミラーによって反射される、前記撮像面とほぼ等価な位置に配置されたフォーカシングスクリーンの被写体像を観察するように構成されていることを特徴とする請求項１から１４のいずれか一項に記載の撮影装置。
【請求項１６】
被写体像を観察するための光学式ファインダーを備える撮影装置におけるファインダー内表示方法であって、
測距手段によって、被写体との合焦位置を算出するステップと、
傾き検出手段によって、前記撮影装置の傾きを検出するステップと、
表示手段によって、前記光学式ファインダーの視野内に、前記被写体像と重ねて、前記算出された合焦位置および前記検出された撮影装置の傾きを同時に表示するステップと、を含むファインダー内表示方法。
【発明の詳細な説明】
【技術分野】
【０００１】
本発明は、姿勢を検知するための加速度センサおよび光学式ファインダーを備える撮影装置、ならびに該撮影装置におけるファインダー内表示方法に関する。
【背景技術】
【０００２】
従来、加速度センサを搭載し、加速度情報から姿勢を検出することが可能なデジタル一眼レフカメラなどの撮影装置が知られている。このような撮影装置においては、検出した撮影装置の姿勢情報が、撮影装置の背面に設けられたＬＣＤ（Liquid Crystal Display）やファインダー内に設けられたＬＣＤに表示される。また、特許文献１には、光学式ファインダー内に配置される発光素子を用いて、撮影装置の姿勢情報を表示することが提案されている。特許文献１に記載される撮影装置では、ファインダー内にもともと搭載されているＡＦ（Autofocus）測距枠表示用の発光素子を用いて、撮影装置の姿勢情報を表示する。このように、ＡＦ測距枠表示の発光素子を姿勢情報の表示にも用いることで、装置のコストアップを防ぐことができる。
【先行技術文献】
【特許文献】
【０００３】
【特許文献１】特開２０１１−０４３７６４号公報
【発明の概要】
【発明が解決しようとする課題】
【０００４】
従来の撮影装置では、姿勢情報を表示する際、ロール方向の傾きとチルト方向の傾きとが別々に表示されていた。そのため、ロール方向とチルト方向の傾きの表示をそれぞれ目視する必要があり、撮影装置の全体的な傾きを把握しにくいといった問題があった。また、特許文献１に記載される撮影装置では、ＡＦ測距枠または撮影装置の姿勢情報が切り替えられて表示されるため、いずれか一方のみしか確認することができない。
【０００５】
本発明は上記の事情に鑑みてなされたものであり、光学式ファインダー内において、ロール方向およびチルト方向の傾きを容易に認識可能とするとともに、ＡＦ測距表示に影響されることなく、撮影の直前まで姿勢情報を表示し続けることが可能な撮影装置および表示方法を提供することを目的とする。
【課題を解決するための手段】
【０００６】
本発明の実施形態に係る撮影装置は、被写体像を観察するための光学式ファインダーと、被写体との合焦位置を算出する測距手段と、撮影装置の傾きを検出する傾き検出手段と、光学式ファインダーの視野内に、被写体像と重ねて、測距手段によって算出される合焦位置および傾き検出手段によって検出される撮影装置の傾きを同時に表示する、ファインダー内表示手段と、を有する。
【０００７】
このような構成によれば、光学式ファインダー内において、ＡＦ測距による合焦位置の表示に影響されることなく、撮影の直前まで撮影装置の姿勢に関する情報の表示を持続させることができ、傾きのある被写体像の撮影を防ぐことが可能となる。
【０００８】
撮影装置の傾きは、ロール方向の傾きおよびチルト方向の傾きを含み、ファインダー内表示手段は、光学式ファインダーの視野内に、ロール方向の傾きとチルト方向の傾きとをそれぞれ判別可能に表示しても良い。また、ファインダー内表示手段は、ロール方向の傾きおよびチルト方向の傾きの両方を表わす１つの表示を光学式ファインダーの視野内に表示しても良い。
【０００９】
このような構成によれば、ロール方向の傾きおよびチルト方向の傾きを一目で確認することができ、撮影装置の全体的な傾きを容易に把握することができる。これにより、傾きのある被写体像の撮影を防ぐことが可能となる。
【００１０】
ファインダー内表示手段は、光学式ファインダーの視野内に複数のドットを表示するものであり、光学式ファインダーの視野内に表示される複数のドットの位置は、撮影装置の傾きに応じて異なるものであっても良い。具体的には、ファインダー内表示手段は、撮影装置の傾きが略０の場合は、光学式ファインダーの視野の略中央に複数のドットを表示し、撮影装置の傾きが大きくなるにしたがって、光学式ファインダーの視野の周辺方向へ複数のドットの表示を移動しても良い。
【００１１】
ファインダー内表示手段は、撮影装置の傾きが略０の場合と、撮影装置の傾きが略０でない場合とで、異なる表示を行っても良い。具体的には、ファインダー内表示手段は、撮影装置の傾きが略０の場合は、矩形または円形に配置された複数のドットを表示し、撮影装置の傾きが略０でない場合は、十字に配置された複数のドットを表示しても良い。このような構成によれば、撮影装置の傾きの有無を容易に判別することが可能となる。
【００１２】
ファインダー内表示手段は、撮影装置の傾きが所定の大きさを超えた場合と、撮影装置の傾きが所定の大きさ以下の場合とで、異なる表示を行っても良い。この場合の異なる表示は、表示の点滅および非点滅、または異なる点滅速度を含んでも良い。このような構成によれば、撮影装置の傾きの大きさを容易に判別することが可能となる。
【００１３】
ファインダー内表示手段は、合焦位置と撮影装置の傾きと判別可能に表示しても良く、具体的には、異なる色で表示しても良い。
【００１４】
ファインダー内表示手段は、二次元に配置された複数の発光素子を有し、複数の発光素子の一部を点灯することにより、光学式ファインダーの視野内に、合焦位置および撮影装置の傾きを表示しても良い。また、合焦位置を表示するための発光素子と、撮影装置の傾きを表示するための発光素子は、同一基板上に配置されても良い。さらに、二次元に配置された複数の発光素子による撮影装置の傾きの表示において、横軸がロール方向の傾きを表わし、縦軸がチルト方向の傾きを表わしても良い。このような構成によれば、ロール方向の傾きおよびチルト方向の傾きの両方を１つの表示で表わすことが可能となる。
【００１５】
光学式ファインダーは、撮影レンズと撮像面との間に設けられたミラーによって反射される、撮像面とほぼ等価な位置に配置されたフォーカシングスクリーンの被写体像を観察するように構成されても良い。
【００１６】
本発明の実施形態に係る、被写体像を観察するための光学式ファインダーを備える撮影装置におけるファインダー内表示方法は、測距手段によって、被写体との合焦位置を算出するステップと、傾き検出手段によって、撮影装置の傾きを検出するステップと、表示手段によって、光学式ファインダーの視野内に、被写体像と重ねて、算出された合焦位置および検出された撮影装置の傾きを同時に表示するステップと、を含む。
【発明の効果】
【００１７】
本実施形態の撮影装置およびファインダー内表示方法によれば、ロール方向およびチルト方向の傾きを容易に認識可能とするとともに、ＡＦ測距表示に影響されることなく、撮影の直前まで姿勢情報の表示を持続させることが可能となる。
【図面の簡単な説明】
【００１８】
【図１】図１は、本発明の実施形態の撮影装置の斜視図および背面図である。
【図２】図２は、本発明の実施形態の撮影装置の概略構成を示すブロック図である。
【図３】図３は、撮影装置の情報表示素子が備える発光素子の配置を示す図である。
【図４】図４は、本発明の実施形態のファインダー内表示処理の流れを示すフローチャートである。
【図５】図５は、本発明の実施形態の撮影装置におけるファインダー内の表示例である。
【図６】図６は、本発明の実施形態の撮影装置におけるファインダー内の別の表示例である。
【図７】図７は、本発明の実施形態の撮影装置におけるファインダー内の別の表示例である。
【図８】図８は、本発明の実施形態の撮影装置におけるファインダー内の別の表示例である。
【発明を実施するための形態】
【００１９】
以下、本発明の実施形態の撮影装置について図面を参照しながら説明する。以下においては、本発明の一実施形態として、加速度センサおよびファインダー内表示のための表示素子を備えるデジタル一眼レフカメラについて説明する。なお、本発明の撮影装置は、デジタル一眼レフカメラに限らず、加速度センサおよびファインダー内表示素子を備える別の形態の撮影装置に置き換えてもよい。
【００２０】
図１（ａ）および（ｂ）は、それぞれ本実施形態のデジタル一眼レフカメラ（以下、便宜上、単に「撮影装置」と記す。）１００の斜視図および背面図である。撮影装置１００は、正面側にレンズや絞りが設けられており（図１では不図示）、背面側にＬＣＤ１３が設けられている。撮影装置１００の筐体には、複数の操作部１５が適宜配置されている。撮影装置１００の内部には、撮影装置１００を駆動するための電気回路や記憶領域、重力方向を検知し撮影装置１の向きを計算するために、重力方向を検知する加速度センサなどが設けられている。
【００２１】
計算される撮影装置１００の向きには、撮影装置の上下方向のチルト角（仰俯角）や、撮影装置の光学系の光軸周りのロール角（回転角）が含まれる。図１中に示す、Ｘ軸は水平方向、Ｙ軸は鉛直方向、Ｚ軸はレンズの光軸と平行で、３つの軸は互いに直交している。ここで、撮影装置１００におけるチルト方向は、撮影装置をＸ軸の周りの回転方向に対応し、ロール方向はＺ軸の周りの回転方向に対応する。
【００２２】
図２は、撮影装置１００の概略構成を示すブロック図である。図２に示されるように、撮影装置１００は、撮像素子１、ＤＳＰ（Digital Signal Processor）２、情報表示素子３、表示素子駆動回路４、反射ブロック５、フォーカシングスクリーン６、クイックリターンミラー７、ＡＦ（Autofocus）ユニット８、ペンタプリズム９、光学式ファインダー１０、シャッター１１、加速度センサ１２、ＬＣＤ（Liquid Crystal Display）１３、外部メモリ１４、操作部１５、撮影レンズ１６を備えている。なお、図２では、説明の便宜上、一部のブロックや電気的接続、光路を省略している。
【００２３】
操作部１５には、電源スイッチやレリーズスイッチ、撮影モードスイッチなど、ユーザが撮影装置１００を操作するために必要な各種スイッチが含まれる。また、本実施形態の操作部１５は、さらに、ファインダー１０内への水準器の表示を行うために操作される水準器表示スイッチおよびＡＦユニット８による測距を行うための測距スイッチを含む。ユーザにより電源スイッチが押されると、図示省略されたバッテリから撮影装置１００の各種回路に電源ラインを通じて電源供給が行われる。ＤＳＰ２は、撮影装置１００の各部の制御および撮像素子１から出力される画像データに対する各種画像処理を行う。電源供給後、ＤＳＰ２は、制御プログラムを読み出して実行することにより、撮影装置１００全体の制御を行う。
【００２４】
ＤＳＰ２は、撮影装置１００に内蔵されたＴＴＬ（Through The Lens）露出計（不図示）で測定された測光値に基づき適正露出が得られるように、撮影レンズ１６のレンズ駆動部（不図示）およびシャッター１１を駆動制御する。より詳細には、シャッター１１の駆動制御は、プログラムＡＥ（Automatic Exposure）、シャッター速度優先ＡＥ、絞り優先ＡＥなど、撮影モードスイッチにより指定されるＡＥ機能に基づいて行われる。
【００２５】
また、ＡＦユニット８の駆動制御（以下、「ＡＦ制御」という）は、ＡＦ機能に基づいて行われる。ＡＦ制御には、アクティブ方式、位相差検出方式、コントラスト検出方式等が適用される。ＡＦ制御が行われると、ＡＦユニット８によって撮影レンズ１６が変位され、被写体にピントが合わせられる。ＡＦ制御が完了すると、撮影モードに応じてＬＣＤ１３または情報表示素子３に、合焦している部分を示す合焦表示が行われる。これにより、画像のどの部分に合焦したのかをユーザが視認することができる。
【００２６】
撮影装置１００は少なくとも一枚の可動式のクイックリターンミラー７を備えている。クイックリターンミラー７は、撮影装置１００の動作に応じて移動し、開状態および閉状態の間で変化する。クイックリターンミラー７が閉状態のとき、被写体から出射した光は撮影レンズ１６、絞り（不図示）、シャッター１１を通過し、クイックリターンミラー７で２つに分離され、それぞれＡＦユニット８およびプリズム９に入射する。ＡＦユニット８に入射した光は、ＡＦ制御を行うために使用される。また、プリズム９に入射した光は、プリズム９内で反射されファインダー１０に入射する。これにより、ユーザはファインダー１０を覗くことで、被写体を観察することができる。
【００２７】
一方、ユーザが操作部１５を操作し、被写体を撮影する指示を入力すると、クイックリターンミラー７は、一時的に閉状態となる。クイックリターンミラー７が閉状態のとき、被写体から出射した光は、撮影レンズ１６、絞りおよびシャッター１１を通過して撮像素子１により受光される。撮像素子１は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、ＤＳＰ２に出力する。
【００２８】
ＤＳＰ２では、撮像素子１より入力される電気信号（撮影データ）に対して、色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。ＤＳＰ２は、メモリーカード等の外部メモリ１４と通信可能である。ＤＳＰ２は、生成された圧縮画像信号（撮影画像データ）を外部メモリ１４（または撮影装置１００に備えられる不図示の内蔵メモリ）に保存する。
【００２９】
また、ＤＳＰ２は、Ｙ／Ｃ分離後の信号に所定の信号処理を施して、フレームメモリ（不図示）にフレーム単位でバッファリングする。ＤＳＰ２は、バッファリングされた信号を所定のタイミングで各フレームメモリから掃き出して所定のフォーマットのビデオ信号に変換し、ＬＣＤ１３に出力する。これにより、ライブビューモードにおいて、被写体の撮影画像がＬＣＤ１３に表示される。ここで、ＬＣＤ１３に表示される撮影画像は、撮影装置１００の撮影画角に対応している。ユーザは、ＡＥ制御及びＡＦ制御に基づいて適正な輝度及びピントで撮影されたリアルタイムのスルー画を、ＬＣＤ１３を通じて視認することができる。
【００３０】
ＤＳＰ２は、ユーザにより撮影画像の再生操作が行われると、操作により指定された撮影画像データを外部メモリ１４または不図示の内蔵メモリから読み出して所定のフォーマットの画像信号に変換し、ＬＣＤ１３に出力する。これにより、過去に撮影した被写体の撮影画像がＬＣＤ１３に表示される。
【００３１】
加速度センサ１２は、互いに直交する３方向の加速度を検知可能な３軸センサであり、撮影装置１００の姿勢を計算するために用いられる。加速度センサ１２からは、３方向の加速度に基づいた３つの加速度信号が出力される。ＤＳＰ２は、出力された加速度信号に基づいて、重力方向を計算する。そして、重力方向を用いて、加速度信号を生成されたときの撮影装置１００の姿勢が計算される。ここで、撮影装置１００の姿勢には、撮影装置１００のロール方向の傾き（ロール角）およびチルト方向の傾き（チルト角）が含まれる。なお、３方向の加速度を用いた重力方向の計算方法、および、重力方向を用いた撮影装置１００の向きの計算方法は周知であり、ここでは説明を省略する。
【００３２】
撮影装置１００の姿勢は、撮影装置１００と被写体の位置関係や、ユーザによる操作に応じて常時変化し得る。そのため、ＤＳＰ２による重力方向の計算は、所定の間隔で繰り返し実行され、重力方向が計算される度に、図示しない内蔵メモリに記憶されている重力方向が更新されるよう構成されている。
【００３３】
また、計算された撮影装置１００の姿勢は、電子水準器として情報表示素子３に表示される。情報表示素子３は、発光素子による複数のドット表示によって、水準器表示および合焦表示を行う。図３は、情報表示素子３が備える発光素子の配置を示す図である。情報表示素子３は、ＡＦ制御による合焦位置を表示するための複数の合焦表示用発光素子３ａ、および電子水準器を表示するための複数の水準器用発光素子３ｂを備える。合焦表示用発光素子３ａおよび水準器用発光素子３ｂは、同一基板上に二次元に配列されるＬＥＤ（Light Emitting Diode）チップとして構成される。図３に示すように、合焦表示用発光素子３ａは、縦方向および横方向に５×５で配置される。また、各合焦表示用発光素子３ａの上下左右に、合計４個の水準器用発光素子３ｂが配置される。なお、中心に配置される合焦表示用発光素子３ａに限り、上下左右に加えて斜め方向に、合計８個の水準器用発光素子３ｂが配置される。また、合焦表示用発光素子３ａは例えば赤色に配色され、水準器用発光素子３ｂは例えば緑色に配色される。 
【００３４】
情報表示素子３の各発光素子３ａおよび３ｂは、表示素子駆動回路４によって駆動される。表示素子駆動回路４は、ＤＳＰ２からの指示に応じて駆動パルスを生成し、各合焦表示用発光素子３ａおよび各水準器用発光素子３ｂのＯＮ/ＯＦＦを制御する。具体的には、ＤＳＰ２は、合焦位置に対応する位置に配置される合焦表示用発光素子３ａをＯＮするとともに、計算された撮影装置１００の姿勢に応じて所定の位置に配置される水準器表示用発光素子３ｂをＯＮするように制御する。本実施形態では、水準器表示において、情報表示素子３の横軸が撮影装置１００のロール方向の傾きを示し、縦軸がチルト方向の傾きを示す。そして、縦軸および横軸の中心をそれぞれの傾きが０の場合を示すものとし、傾きが大きくなるにしたがって、中心から周辺方向に離れた位置の水準器表示用発光素子３ｂを点灯する。ファインダー１０内の具体的な表示例については後述する。
【００３５】
情報表示素子３における表示は、反射ブロック５によって、光学式ファインダー１０に導かれる。反射ブロック５は、第１反射ミラー５ａと第２反射プリズム５ｂを備える。情報表示素子３の表示は、第１反射ミラー５ａ、第２反射プリズム５ｂの順に反射し、ペンタプリズム９の透過（反射）面９ａに入射される。ペンタプリズム９は透過（反射）面９ａの透過（反射）率を調整することで、フォーカシングスクリーン６を通して得られた像と反射ブロック５を通して得られた情報表示素子３の表示を重ね合わせて、ファインダー１０に導く事ができる。これにより、撮影装置１００のユーザは、ファインダー１０を覗いた状態で、被写体とともに合焦位置および撮影装置１００の傾きを把握することができる。
【００３６】
続いて、本実施形態のファインダー１０内の表示処理について、図４のフローチャートを参照して説明する。本処理は、ＤＳＰ２によって、撮影装置１００の動作開始にともない開始され、電源スイッチがＯＮの間、繰り返し実行される。本処理では、まず、撮影モードスイッチの状態に基づき、現在の撮影モードが動画撮影モードか否かを判定する（Ｓ１）。そして、動画撮影モードの場合（Ｓ１：ＹＥＳ）は、本処理を終了する。一方、動画撮影モードでない場合（すなわち静止画撮影モードの場合）は（Ｓ１：ＮＯ）、ライブビューモードであるか否かを判定する（Ｓ２）。そして、ライブビューモードの場合は（Ｓ２：ＹＥＳ）、本処理を終了する。
【００３７】
一方、ライブビューモードでない場合（すなわち通常撮影モードの場合）は（Ｓ２：ＮＯ）、水準器表示処理と合焦表示処理とが並列に実行される。図４のステップＳ３〜Ｓ９は水準器表示処理を示し、ステップＳ１０〜Ｓ１４は合焦表示処理をそれぞれ示す。
【００３８】
水準器表示処理では、まず、ファインダー１０に水準器を常時表示するか否を判定する（Ｓ３）。ファインダー１０に水準器を常時表示するか否かは、予めユーザによって設定され撮影装置１００の内蔵メモリ等に保存される。ここでは、保存された設定に基づいて判定が行われる。そして、水準器を常時表示しない場合（Ｓ３：ＮＯ）は、ステップＳ７に進み、操作部１５における水準器表示スイッチがＯＮか否かを判定する（Ｓ７）。
一方、水準器を常時表示する場合（Ｓ３：ＹＥＳ）は、操作部１５のＳ１スイッチもしくは測距スイッチがＯＮか否かを判定する（Ｓ４）。なお、「Ｓ１スイッチがＯＮである」とは、操作部１５のレリーズスイッチが半押しの状態であることを示す。
【００３９】
そして、Ｓ１スイッチと測距スイッチが共にＯＦＦの場合は（Ｓ４：ＮＯ）、ステップＳ７に進み、操作部１５における水準器表示がＯＮか否かを判定する。一方、Ｓ１スイッチと測距スイッチのどちらか一方がＯＮの場合は（Ｓ４：ＹＥＳ）、Ｓ２スイッチがＯＮか否かを判定する（Ｓ５）。なお、「Ｓ２スイッチがＯＮである」とは、操作部１５のレリーズスイッチが押し切られた状態（レリーズスイッチがＯＮの状態）であることを示す。そして、Ｓ２スイッチがＯＮの場合（Ｓ５：ＹＥＳ）は、本処理を終了する。
【００４０】
一方、Ｓ２スイッチがＯＦＦの場合は（Ｓ５：ＮＯ）、測光処理状態か否かを判定する（Ｓ６）。そして、測光処理状態ではない場合（Ｓ６：ＮＯ）は、ステップＳ７に進み、操作部１５における水準器表示スイッチがＯＮか否かを判定する。ステップＳ３、Ｓ４およびＳ６における各判定に基づいて実行されるステップＳ７において、操作部１５における水準器表示スイッチがＯＮでない場合は（Ｓ７：ＮＯ）、本処理を終了する。
【００４１】
一方、ステップＳ６で、測光処理状態である場合（Ｓ６：ＹＥＳ）、もしくはステップＳ７で水準器表示スイッチがＯＮである場合（Ｓ７：ＹＥＳ）は、加速度センサ１２から出力される加速度信号を用いて、撮影装置１００の姿勢を求めるための計算を行う（Ｓ８）。これにより、撮影装置１００のチルト角およびロール角が求められる。そして、ＤＳＰ２の制御のものと、求められたチルト角およびロール角に応じて、表示素子駆動回路４によって駆動パルスが生成され、情報表示素子３に出力される。情報表示素子３では、駆動パルスに応じて水準器用発光素子３ｂがＯＮされ、水準器を表示する（Ｓ９）。Ｓ９にて、水準器が表示された後は、ステップＳ３に戻り、以降の処理を繰り返し行う。
【００４２】
合焦表示処理では、まず、ＡＦモードであるか否かを判定する（Ｓ１０）。そして、ＡＦモードでない場合（すなわちＭＦ（Manual Focus）モードの場合）は（Ｓ１０：ＮＯ）、本処理を終了する。一方、ＡＦモードである場合は（Ｓ１０：ＹＥＳ）、Ｓ１スイッチもしくは測距スイッチがＯＮか否かを判定する（Ｓ１１）。そして、Ｓ１スイッチと測距スイッチが共にＯＦＦの場合は（Ｓ１１：ＮＯ）、本処理を終了する。一方、Ｓ１スイッチと測距スイッチのどちらか一方がＯＮの場合は（Ｓ１１：ＹＥＳ）、ＡＦユニット８による合焦が行われているか否かを判定する（Ｓ１２）。ここで、合焦していない場合（Ｓ１２：ＮＯ）は、ステップＳ１１に戻り、Ｓ１スイッチもしくは測距スイッチがＯＮか否かを判定する。一方、合焦している場合（Ｓ１２：ＹＥＳ）は、表示素子駆動回路４によって駆動パルスが生成され、情報表示素子３に出力される。情報表示素子３では、駆動パルスに応じて所定の合焦表示用発光素子３ａがＯＮされ、合焦位置を表示する（Ｓ１３）。続いて、Ｓ２スイッチがＯＮか否かを判定する（Ｓ１４）。そして、Ｓ２スイッチがＯＮの場合（Ｓ１４：ＹＥＳ）は、本処理を終了する。一方、Ｓ２スイッチがＯＦＦの場合は（Ｓ１４：ＮＯ）、ステップＳ１１に戻り、以降の処理を繰り返す。
【００４３】
上記表示処理によるファインダー１０内の表示例について、図５〜図８を参照して説明する。本実施形態では、合焦表示として、合焦位置に対応する１個または複数個の合焦表示用発光素子３ａを点灯する。また、水準器表示としては、合焦表示用発光素子３ａの上下左右に配置された４個の水準器表示用発光素子３ｂを１ブロックとして、計算された撮影装置１００の姿勢に応じてブロック毎に点灯する。なお、中心に配置される合焦表示用発光素子３ａに対しては、上下左右に加え、斜めを含めた８個の水準器表示用発光素子３ｂを１ブロックとして点灯する。
【００４４】
図５（ａ）は、合焦位置が中心であり、撮影装置１００が水平の状態（すなわちロール角が０度）である場合のファインダー１０内の表示である。図５（ａ）に示されるように、この場合は、中心に位置する１個の合焦表示用発光素子３ａおよび中心に位置する合焦表示用発光素子３ａを上下左右および斜めに囲む８個の水準器表示用発光素子３ｂをＯＮとし、点灯させる。また、図５（ｂ）は、撮影装置１００の右側が上がるように傾けられている（すなわちロール方向の傾きが生じた）場合のファインダー１０内の表示である。この場合は、図５（ｂ）に示すように、中心に位置する水準器表示用発光素子３ｂのブロックの右側に位置する水準器表示用発光素子３ｂのブロックをＯＮとし、点灯させる。図５（ｃ）は、撮影装置１００の右側がさらに上がるように傾けられた場合の表示である。この場合は、さらに右側に位置する水準器表示用発光素子３ｂのブロックをＯＮとし、点灯させる。このように、本実施形態では、水準器の表示が右側に位置するほど、撮影装置１００の右側が上がるよう傾いている状態であって、その傾きが大きいことを表わす。また、撮影装置１００の傾きが表示できるブロックの最右端を超えた場合は、図５（ｄ）のように最右端の水準器発光素子３ｂの１個のみを点灯し、さらに点滅させる。
【００４５】
同様に、撮影装置１００の左側が上がるように傾けられている場合は、中心に位置する水準器表示用発光素子３ｂのブロックの左側に位置する水準器表示用発光素子３ｂのブロックをＯＮとし、点灯させる。水準器の表示が左側に位置するほど、撮影装置１００の左側が上がるよう傾いている状態であって、その傾きが大きいことを表わす。また、撮影装置１００の傾きが表示できるブロックの最左端を超えた場合は、最左端の水準器発光素子３ｂの１個のみを点灯し、さらに点滅させる。
【００４６】
また、図６（ａ）は、合焦位置が中心であり、撮影装置１００が正面を向いている状態（すなわちチルト角が０度）である場合のファインダー１０内の表示である。図６（ａ）に示されるように、この場合は、中心に位置する１個の合焦表示用発光素子３ａおよび中心に位置する合焦表示用発光素子３ａを上下左右および斜めに囲む８個の水準器表示用発光素子３ｂをＯＮし、点灯させる。また、図６（ｂ）は、撮影装置１００の撮影レンズ１６が上側を向くように傾けられている（すなわちチルト方向の傾きが生じた）場合のファインダー１０内の表示である。この場合は、図６（ｂ）に示すように、中心に位置する水準器表示用発光素子３ｂのブロックの上側に位置する水準器表示用発光素子３ｂのブロックをＯＮとし、点灯させる。図６（ｃ）は、さらに撮影装置１００の撮影レンズ１６が上側に向くように傾けられた場合の表示である。この場合、さらに上側に位置する水準器表示用発光素子３ｂのブロックをＯＮとし、点灯させる。このように、本実施形態では、水準器の表示が上側に位置するほど、撮影装置１００の撮影レンズ１６が上側を向くよう傾いている状態であって、その傾きが大きいことを表わす。また、撮影装置１００の傾きが表示できるブロックの最上端を超えた場合は、図６（ｄ）のように最上端の水準器発光素子３ｂの１個のみを点灯し、さらに点滅させる。
【００４７】
同様に、撮影装置１００の撮影レンズ１６が下側を向くように傾けられている場合は、中心に位置する水準器表示用発光素子３ｂのブロックの下側に位置する水準器表示用発光素子３ｂのブロックをＯＮとし、点灯させる。水準器の表示が下側に位置するほど、撮影装置１００の撮影レンズ１６が下側を向くよう傾いている状態であって、その傾きが大きいことを表わす。また、撮影装置１００の傾きが表示できるブロックの最下端を超えた場合は、最下端の水準器発光素子３ｂの１個のみを点灯し、さらに点滅させる。
【００４８】
さらに、図７（ａ）は、合焦位置が中心であり、撮影装置１００が正面を向いていて、かつ水平の状態（すなわちロール角およびチルト角が共に０度）である場合のファインダー１０内の表示である。図７（ａ）に示されるように、この場合は、中心に位置する１個の合焦表示用発光素子３ａおよび中心に位置する合焦表示用発光素子３ａを上下左右および斜めに囲む８個の水準器表示用発光素子３ｂをＯＮし、点灯させる。また、図７（ｂ）は、撮影装置１００の右側が上がるように傾けられ、かつ撮影レンズ１６が上側を向くように傾けられている（すなわちロール方向およびチルト方向の傾きが生じた）場合のファインダー１０内の表示である。この場合は、図７（ｂ）に示すように、中心に位置する水準器表示用発光素子３ｂのブロックの右上側に位置する水準器表示用発光素子３ｂのブロックをＯＮし、点灯させる。図７（ｃ）は、さらに撮影装置１００の右側が上がるよう傾けられ、かつ撮影レンズ１６が上側に向くように傾けられた場合の表示である。この場合、さらに右上側に位置する水準器表示用発光素子３ｂのブロックをＯＮし、点灯させる。このように、本実施形態では、水準器の表示が上側に位置するほど、撮影装置１００の撮影レンズ１６が上側を向くよう傾いている状態であって、その傾きが大きいことを表わすとともに、水準器の表示が右側に位置するほど、撮影装置１００の右側が上がるよう傾いている状態であって、その傾きが大きいことを表わす。また、撮影装置１００の傾きが表示できるブロックの最上端および最右端を超えた場合は、図７（ｄ）のように最右端と最上端の水準器発光素子３ｂの２個のみを点灯し、さらに点滅させる。
【００４９】
同様に、撮影装置１００の右側が上がるように傾けられ、かつ撮影レンズ１６が下側を向くように傾けられている場合は、中心に位置する水準器表示用発光素子３ｂのブロックの右下側に位置する水準器表示用発光素子３ｂのブロックをＯＮとし、点灯する。また、撮影装置１００の左側が上がるように傾けられ、かつ撮影レンズ１６が上側を向くように傾けられている場合は、中心に位置する水準器表示用発光素子３ｂのブロックの左上側に位置する水準器表示用発光素子３ｂのブロックをＯＮとし、点灯する。さらに、撮影装置１００の左側が上がるように傾けられ、かつ撮影レンズ１６が下側を向くように傾けられている場合は、中心に位置する水準器表示用発光素子３ｂのブロックの左下側に位置する水準器表示用発光素子３ｂのブロックをＯＮとし、点灯させる。そして、それぞれの傾きが表示できるブロックの最端を超えた場合は、最端に位置する水準器発光素子３ｂの２個のみを点灯し、さらに点滅させる。
【００５０】
さらに、図８（ａ）は、合焦位置が中心から左にずれた位置にあり、撮影装置１００が正面を向いていて、かつ水平の状態（すなわちロール角およびチルト角が共に０度）である場合の表示である。図８（ａ）に示されるように、この場合は左側に位置する１個の合焦表示用発光素子３ａおよび中心に位置する合焦表示用発光素子３ａを上下左右および斜めに囲む８個の水準器表示用発光素子３ｂをＯＮし、点灯させる。また、図８（ｂ）は、合焦位置が２箇所あり、図７(ｂ)の場合と同様に、撮影装置１００の右側が上がるように、かつ撮影レンズ１６が上側を向くように傾けられている（すなわちロール方向およびチルト方向の傾きが生じた）場合を示す。この場合は、図８（ｂ）に示すように、合焦位置に対応する２個の焦表示用発光素子３ａおよび中心に位置する水準器表示用発光素子３ｂのブロックの右上側に位置する水準器表示用発光素子３ｂのブロックをＯＮとし、点灯させる。
【００５１】
このように、上記実施形態においては、ファインダー１０内に合焦表示および水準器表示の両方を同時に行うことが可能となる。そのため、合焦表示の影響を受けることなく、撮影の直前まで撮影装置１００の傾きを確認することができる。これにより、傾きのない状態での撮影を行うことが可能となる。また、本実施形態では、加速度センサ１２からの加速度信号に基づいて求められた撮影装置１００の姿勢を表示する際に、二次元に配列された水準器表示用発光素子３ｂを用いて、各軸にロール方向の傾きおよびチルト方向の傾きを割り当てる構成となっている。このように、ロール方向の傾きおよびチルト方向の傾きを１つの表示として表示することで、ロール方向の傾きおよびチルト方向の傾きを一目で確認することが可能となる。これにより、容易に撮影装置１００全体の傾きを認識することができる
【００５２】
以上が本発明の例示的な実施形態の説明である。本発明の実施形態は、上記に説明したものに限定されず、本発明の技術的思想の範囲において様々な変形が可能である。例えば明細書中に例示的に明示される実施形態等または自明な実施形態等を適宜組み合わせた内容も本願の実施形態に含まれる。
【００５３】
また、上記実施形態においては、合焦表示用発光素子３ａおよび水準器表示用発光素子３ｂの配色を異ならせることで両者を区別する構成としたが、これに限定されるものではない。例えば、合焦表示用発光素子３ａおよび水準器表示用発光素子３ｂを同じ色で構成し、いずれか一方を点滅させる構成としても良い。この場合、撮影装置１００の傾きが表示できるブロックの最端を超えた場合は、点滅の速度を変更する構成とする。さらに、各発光素子３ａおよび３ｂの個数は上記実施形態における個数に限定されるものではなく、より少ないまたは多い個数とすることも可能である。さらに、中央に位置する水準器用発光素子３ｂのブロックの配置は、上記実施形態のような矩形に限定されるものではなく、円形に配置する構成としても良い。
【符号の説明】
【００５４】
１    撮像素子
２    ＤＳＰ
３    情報表示素子
３ａ  合焦表示用発光素子
３ｂ  水準器表示用発光素子
４    表示素子駆動回路
５    反射ブロック
６    フォーカシングスクリーン
７    クイックリターンミラー
８    ＡＦユニット
９    ペンタプリズム
１０  ファインダー
１１  シャッター
１２  加速度センサ
１３  ＬＣＤ
１４  外部メモリ
１５  操作部
１６  撮影レンズ
【図１】
2015121754.tif 000003
【図２】
2015121754.tif 000004
【図４】
2015121754.tif 000005
【図３】
2015121754.tif 000006
【図５】
2015121754.tif 000007
【図６】
2015121754.tif 000008
【図７】
2015121754.tif 000009
【図８】
2015121754.tif 000010